(57)【要約】【課題】次に使用する際に、使用し易い状態で確実にお玉を保持することができるとともに、小型で調理の邪魔にならず、かつ、露落ち等の問題も生じないお玉置き用器の提供を図る。【解決手段】調理時等において使用するお玉を一時的に置くための器であって、器本体における上周縁の所定箇所に、お玉の先端が引っ掛かるための係止部を設けた構造を採用している。また、器本体における上周縁の所定箇所に注ぎ口を設けた構造とすることができ、さらには、係止部に貫通孔を設けた構造とすることも可能である。【選択図】図１
2007135741.tif 000002
【特許請求の範囲】
【請求項１】
調理時等において使用するお玉を一時的に置くための器であって、器本体における上周縁の所定箇所に、お玉の先端が引っ掛かるための係止部を設けたことを特徴とするお玉置き用器。
【請求項２】
前記お玉置き用器の器本体における上周縁の所定箇所に、注ぎ口を設けたことを特徴とする請求項１に記載のお玉置き用器。
【請求項３】
前記係止部に、貫通孔を設けたことを特徴とする請求項１または請求項２に記載のお玉置き用器。
【請求項４】
前記お玉置き用器が、陶磁器製であることを特徴とする請求項１から請求項３のいずれかに記載のお玉置き器。
【発明の詳細な説明】
【技術分野】
【０００１】
本発明は、調理時等において使用するお玉を一時的に置くための器に関し、詳しくは、常時使用可能な状態でお玉を保持することが可能なお玉置き用器に関するものである。
【背景技術】
【０００２】
調理をする際に、調理者は、使用しているお玉を不使用時に一時的に保持させる手段について四苦八苦している現状がある。それを解決すべく、従来、お玉を一時的に保持するための手段・器具がいくつか提案されてきている。
【０００３】
かかる従来より提案されている手段・器具の多くは、鍋等の側壁に引掛け手段を設けたもので、例えば、下記特許文献１（特開平９−２５２９７０号公報）がある。また、下記特許文献２（登録実用新案第３１１２８５６号公報）のように、鍋等の調理用容器とは別の器具として、お玉を置いた際にお玉自体が自重で転倒するのを防止すべく、長筒型のお玉置きが提案されている。
【０００４】
これらは、いずれも不使用時のお玉を一時的に保持するという機能は備えるものの、特許文献１については、お玉の先端から露落ちしたり、また、お玉の取っ手に湯気による水泡が付着する場合があり、実用性は乏しかった。さらに、特許文献２については、長筒型という、非常に嵩張る器具となってしまい、実際の調理において邪魔になってしまう問題があった。
【０００５】
【特許文献１】特開平９−２５２９７０号公報
【特許文献２】登録実用新案第３１１２８５６号公報
【発明の開示】
【発明が解決しようとする課題】
【０００６】
上記問題点に鑑み、本発明は、次に使用する際に、使用し易い状態で確実にお玉を保持することができるとともに、小型で調理の邪魔にならず、かつ、露落ち等の問題も生じないお玉置き用器を提供することを目的とする。
【課題を解決するための手段】
【０００７】
前記目的を達成するため、本発明は、調理時等において使用するお玉を一時的に置くためのお玉置き用器であって、器本体における上周縁の所定箇所に、お玉の先端が引っ掛かるための係止部を設けた構造となっている。
【０００８】
また、本発明は、器本体における上周縁の所定箇所に、注ぎ口を設けた構造を採用することができる。
【０００９】
さらに、本発明は、前記係止部に、貫通孔を設けた構造とすることも可能である。
【００１０】
またさらに、本発明は、前記お玉置き用器が、陶磁器製である構成を採用することもできる。
【発明の効果】
【００１１】
本発明にかかるお玉置き用器によれば、器本体における上周縁の所定箇所に係止部を設けることで、該係止部の下方にお玉の先端を差し込み引掛けることによって、次に使用する際に使用し易い状態で確実にお玉を保持することができるとともに、露落ち等の問題も生じないお玉置き用器を提供することができる。
【００１２】
また、本発明にかかるお玉置き用器によれば、器本体における上周縁の所定箇所に注ぎ口を設けた構造とすることによって、調理用の味見皿としての使用態様も可能となり、改めて味見用の小皿を用意する手間を省くことが可能となる。
【００１３】
さらに、本発明にかかるお玉置き用器によれば、係止部に貫通孔を設けた構成を採用することによって、お玉を保持すると同時に、調理などで使われる菜箸を該貫通孔に差し込むことで立て掛けた状態で保持することが可能であり、さらには、しゃもじ等を差し込んで保持する使用態様も可能となる。
【００１４】
またさらに、本発明にかかるお玉置き用器によれば、陶磁器製とすることで、器本体の作陶の段階において、上周縁の所定箇所を内側に折り返したり、あるいは、係止部となる部分を取り付ける等するだけで足りるため、製作上複雑な工程を必要とすることなく、器全体の造形美を備えたお玉置き用器を提供することができるものである。
【発明を実施するための最良の形態】
【００１５】
本発明は、器本体１における上周縁２の所定箇所にお玉８の先端が引っ掛かるための係止部３を設けることで、該係止部３の下方にお玉８の先端を差し込み引掛けることによって、次に使用する際に使用し易い状態で確実にお玉８を保持することができるようにしたことを最大の特徴とする。以下、本発明にかかるお玉置き用器の実施形態を、図面に基づいて説明する。
【００１６】
図１は、本発明にかかるお玉置き用器の実施形態を示す斜視図である。該お玉置き用器は、器本体１における上周縁２の所定箇所に、お玉８の先端が引っ掛かるための係止部３が設けられた構造となっている。
【００１７】
係止部３については、お玉８の先端が引掛かる構造を備えていれば、その形状等について特に限定はないが、例えば、図１（ａ）に示すように、成形段階において、器本体１における上周縁２の所定箇所を折り返すような形状としたり、あるいは、図１（ｂ）に示すように、器本体１における上周縁２の所定箇所に、係止部３となり得る部材を取り付ける等の構造が考えられる。
【００１８】
本発明にかかるお玉置き用器の材質については、特に限定するものではなく、陶磁器製やプラスチック製、金属製、木製等、種々の材質のもので成形することが可能である。しかしながら、器本体１の重量をある程度重くしないと、お玉８を置いた際に、該お玉８が自重によって器本体１もろとも転倒してしまう可能性があるため、陶磁器製や金属製等の比較的重量がある材質で成形することが望ましい。そしてまた、通常の食器と同様に陶磁器製とすることにより、器本体１の作陶の段階において、上周縁２の所定箇所を内側に折り返したり、あるいは、係止部３となる部分を後付けで取り付ける等するだけで足りるため、製作上複雑な工程を必要とすることなく、器全体の造形美を備えたお玉置き用器を提供することが可能となる。
【００１９】
上記第一の実施形態にかかるお玉置き用器の使用態様について、図４に示す。図面に示すように、器本体１内にお玉８の先端部を入れ、該器本体１における上周縁２の所定箇所に設けられた係止部３にお玉８の先端を引っ掛けることで、次に使用する際に使用し易い状態で確実にお玉８を保持することができる。
【００２０】
図２は、本発明にかかるお玉置き用器の第二の実施形態を示す斜視図である。該お玉置き用器は、器本体１における上周縁２の所定箇所に、注ぎ口６を設けた構造となっている。かかる構造を採用することにより、調理用の味見皿としての使用態様も可能となり、改めて味見用の小皿を用意する手間を省くことが可能となる。
【００２１】
図３は、本発明にかかるお玉置き用器の第三の実施形態を示す斜視図である。該お玉置き用器は、係止部３に貫通孔４を設けた構造となっている。かかる構造を採用することにより、お玉８を保持すると同時に、調理などで使われる菜箸９を該貫通孔４に差し込むことで立て掛けた状態で保持することが可能であり、さらには、しゃもじ１０等を差し込んで保持する使用態様も可能となる。
【００２２】
上記第三の実施形態にかかるお玉置き用器の使用態様について、図５に示す。図面に示すように、器本体１内にお玉８の先端部を入れ、該器本体１における上周縁２の所定箇所に設けられた係止部３にお玉８の先端を引っ掛けることで、次に使用する際に使用し易い状態で確実にお玉８を保持することができるとともに、図５（ａ）に示すように、貫通孔４に調理などで使われる菜箸９を差し込むことで立て掛けた状態で保持することが可能であり、さらには、しゃもじ１０等を差し込んで保持する使用態様も可能となり、調理の利便性の向上に資する。
【産業上の利用可能性】
【００２３】
本発明にかかるお玉置き用器は、次に使用する際に使用し易い状態で確実にお玉８を保持することができる構造を採用しており、調理効率並びに利便性の向上が図られつつ、味見用の小皿としてあるいは菜箸９・しゃもじ１０等の立て掛け可能な器としての効果も発揮するものであり、今までにない新規なお玉置き用器として、その利用可能性は非常に大である。
【図面の簡単な説明】
【００２４】
【図１】本発明にかかるお玉置き用器の第一の実施形態を示す斜視図である。
【図２】本発明にかかるお玉置き用器の第二の実施形態を示す斜視図である。
【図３】本発明にかかるお玉置き用器の第三の実施形態を示す斜視図である。
【図４】第一の実施形態にかかるお玉置き用器の使用態様を示す斜視図である。
【図５】第三の実施形態にかかるお玉置き用器の使用態様を示す斜視図である。
【符号の説明】
【００２５】
１    器本体
２    上周縁
３    係止部
４    貫通孔
６    注ぎ口
８    お玉
９    菜箸
１０  しゃもじ
【図１】
2007135741.tif 000003
【図２】
2007135741.tif 000004
【図３】
2007135741.tif 000005
【図４】
2007135741.tif 000006
【図５】
2007135741.tif 000007